(57)【要約】      （修正有）【課題】スピーディーに取り付けと取り外しができ、便利に操作できる分離式発熱モジュールを具えた発熱上着構造を提供する。【解決手段】分離式発熱モジュールを具えた発熱上着構造は、上着内にヒートシート７を置くための収容ポケット４が設けられ、袖の外部に外来の蓄電池を置くための電源ポケット５と、コントローラ８が収容されたスイッチポケット６が設けられている。上着を洗濯するときは、ヒートコネクタ７２、給電コネクタ８２、電源コネクタ８４を取り外すと、各部品を対応するポケットより取り出せる。スイッチポケットが袖の前腕の手首に近い部分に設置され、コントローラ動作ランプ状態を視認できる透明ウインドウ６２を具えているのが好ましい。【選択図】図１
0003197256.tif 000002
【実用新案登録請求の範囲】
【請求項１】
分離式発熱モジュールを具えた発熱上着構造において、両側が接続された前身頃と後身頃、及び二つの該前身頃と後身頃の両側に置かれた袖を含み、
該前身頃と後身頃のうち一方の内部にヒートシートが設置された収容ポケットが設けられ、該袖の一方の外部の、上腕に対応する位置に、外来蓄電池を置ける電源ポケットが設けられ、該袖の外部の、前腕の手首近くの位置に対応する位置に、コントローラを収容するためのスイッチポケットが設けられ、且つ該電源ポケットの内壁に、該収容ポケットに連通する第１連通口と、該スイッチポケットに連通する第２連通口が設けられ、
該ヒートシートは電線でコネクタに電気的に接続され、該コネクタは該第１連通口を通り該電源ポケットに進入し、該コントローラは電線で電源コネクタと給電コネクタに電気的に接続され、該給電コネクタ及び電源コネクタは該第２連通口を通りが電源ポケットに進入し、該給電コネクタと該コネクタは相互に対応し接続され、該電源コネクタは該電源ポケット内に置かれた外来蓄電池に電気的に接続されて、外来蓄電池の電力に電源コネクタ、コントローラ、給電コネクタ、コネクタを通過させ、ヒートシートに給電し発熱させ、
該第１連通口には該コネクタに干渉可能な第１プラスチック係止部が設けられ、該第２連通口に該電源コネクタ及び給電コネクタに干渉可能な第２プラスチック係止部が設けられ、該コントローラに表示ランプを具えた操作インタフェースが設けられ、該スイッチポケットに該操作インタフェースに対応し透明ウインドウが設けられ、使用者が該透明ウインドウを通して該操作インタフェースの表示ランプを観察できることを特徴とする、分離式発熱モジュールを具えた発熱上着構造。
【請求項２】
請求項１記載の分離式発熱モジュールを具えた発熱上着構造において、該収容ポケットは着用者の方向に向いた内織物層、及び着用者と反対の方向を向いた外織物層を具え、該収容ポケットの内織物層の熱を通す効果は、収容ポケットの該内織物層より該外織物層に向けて熱を通す効果より高いことを特徴とする、分離式発熱モジュールを具えた発熱上着構造。
【請求項３】
請求項２記載の分離式発熱モジュールを具えた発熱上着構造において、該外織物層の厚さは該内織物層の厚さより厚いことを特徴とする、分離式発熱モジュールを具えた発熱上着構造。
【請求項４】
請求項１記載の分離式発熱モジュールを具えた発熱上着構造において、該収容ポケットは該後身頃の着用者の頸部、背部、腰部、脇の下及び又は側腹部に対応する位置のいずれかに設けられることを特徴とする、分離式発熱モジュールを具えた発熱上着構造。
【請求項５】
請求項１記載の分離式発熱モジュールを具えた発熱上着構造において、該収容ポケットは該前身頃の着用者の頸部、胸部、腹部、脇の下及び又は側腹部に対応する位置のいずれかに設けられることを特徴とする、分離式発熱モジュールを具えた発熱上着構造。
【請求項６】
請求項１記載の分離式発熱モジュールを具えた発熱上着構造において、該電源コネクタはＵＳＢコネクタとされることを特徴とする、分離式発熱モジュールを具えた発熱上着構造。
【請求項７】
請求項１記載の分離式発熱モジュールを具えた発熱上着構造において、該第１プラスチック係止部は該第１連通口に連通する開口と、複数の、該開口の周囲に環状に設けられた軟性弾性片を具えたことを特徴とする、分離式発熱モジュールを具えた発熱上着構造。
【請求項８】
請求項１記載の分離式発熱モジュールを具えた発熱上着構造において、該第２プラスチック係止部は該第２連通口に連通する開口と、複数の、該第２プラスチック係止部の開口の周囲に環状に設けられた軟性弾性片を具えたことを特徴とする、分離式発熱モジュールを具えた発熱上着構造。
【請求項９】
請求項１記載の分離式発熱モジュールを具えた発熱上着構造において、該コントローラは一種類或いは多種類の、該ヒートシートの発熱温度をコントロールするためのデータを保存し、該操作インタフェースを介して上記データを検索並びに選択し、該コントローラを操作して上記データに基づき、一段或いは多段操作のモードでええ該ヒートシートの発熱温度及び温度起伏の順序をコントロールすることを特徴とする、分離式発熱モジュールを具えた発熱上着構造。
【考案の詳細な説明】
【技術分野】
【０００１】
本考案は一種の分離式発熱モジュールを具えた発熱上着構造に係り、それは、上着に若干のポケット及びスリットが設けられて、ヒートシート、蓄電池及びコントローラが上着内に内蔵されるが、上着のデザインを流行にマッチさせられるのみならず、簡単に取り外し、取り付け及び操作が行える機能を具えたものに関する。
【背景技術】
【０００２】
伝統的なコート、ジャンパー、ダウンベスト等の防寒衣料は、熱を発生する能力がなく、ある時間が経たなければ保温効果を発生できず、このため、市場には、すでに一種の保温上着の技術があり、主にはヒートシートを上着にミシン縫いして固定し、並びに蓄電池或いは３Ｃ製品の携帯電源（ＰＯＷＥＲ  ＢＡＮＫ）でヒートシートに給電し、上着にヒートシートにより比較的快適で且つリアルタイムの熱源温度を提供させる。該携帯電源は実質的にまた一種の予め充電できる蓄電池とされ得る。ただし、ミシン縫い方式で上着に固定されるヒートシートは電器用品であり、その内部には発熱金属回路があり、もし水に漬かると、容易に酸化し水気で毀損することから、上着を洗いにくいという問題を招いた。
【０００３】
このほか、上述の保温上着の技術中、ヒートシートに対して給電する蓄電池は、使用時に通常は着用者のポケットに入れられ、該蓄電池とヒートシートをつなぐ電線は上着の内、外表面を通ってめぐらされ、着用者の身体に掛けられ、着用者の活動に影響を与えやすいのみならず、見た目が悪い。特に、電線、蓄電池、スイッチなどの設置位置が内蔵されていなければ、非常に上着の外観に影響を与え、消費者の購入意欲を低減させる。同時に、携帯電源が上着のポケットに入れられて着用者の腹部或いは胸部に接近する場合、身体の健康への影響が心配される。
【０００４】
ゆえに、いかに上述の問題を排除するかが、本考案者の解決しようとする技術の困難点のあるところである。
【考案の概要】
【考案が解決しようとする課題】
【０００５】
本考案の主要な目的は、一種の、分離式発熱モジュールを具えた発熱上着構造を提供することにあり、それはヒートシート、コントローラをスピーディーに上着から取り外すのに有利で、上着を洗濯するのに便利で、且つ、スピーディーに取り付けられた後に、なおも使用者が非常に便利に操作でき、使用上、相当に便利であり、このほか、各部品がポケット内に置かれると共にコネクタ及び電線が内蔵されることも、また、流行に対応したデザインに有利である。
【課題を解決するための手段】
【０００６】
上述の目的を達成するため、本考案の分離式発熱モジュールを具えた発熱上着構造は、両側が互いに接続された前身頃と後身頃、及び二つの、それぞれ該前身頃と後身頃の両側に置かれた袖を包含し、そのうち、該前身頃及び又は後身頃内部にヒートシートを収容するポケットが設けられ、該袖のうちの一方の外部の、上腕に対応する位置に、外来蓄電池を置くための電源ポケットが設けられ、且つ該袖の外部の、前腕の手首に接近する対応位置に、コントローラを置くためのスイッチポケットが設けられ、且つ該電源ポケットの内壁に、該収容ポケットに連通する第１連通口、及び該スイッチポケットに連通する第２連通口が設けられる。
該ヒートシートは電線でコネクタに接続され、該コネクタは該第１連通口を通り該電源ポケットに進入する。該コントローラは電線で電源コネクタ及び給電コネクタに接続され、該給電コネクタ及び電源コネクタは該第２連通口を通り該電源ポケットに進入し、該給電コネクタと該コネクタは相互に対応し接続される。該電源コネクタはすなわち、電源ポケット内に置かれた外来蓄電池と電気的に接続可能であり、外来蓄電池の電力を、順に、電源コネクタ、コントローラ、給電コネクタ、コネクタを介してヒートシートに提供し発熱させる。
また、該第１連通口に該コネクタに干渉する第１プラスチック係止部が設けられ、該第２連通口に該電源コネクタ及び給電コネクタに干渉する第２プラスチック係止部が設けられ、該コントローラに表示ランプを具えた操作インタフェースが設けられ、該スイッチポケットの該操作インタフェースに対応して透明ウインドウが設けられ、使用者が透明ウインドウを通して該操作インタフェースのランプ光を観察するのに供される。
【考案の効果】
【０００７】
使用期間に、該電源コネクタ、給電コネクタ及びコネクタの電線は、第１連通口、第２連通口を通り上着内部に収納され、且つ使用期間に、該プラスチック係止部は電源コネクタ、給電コネクタ及びコネクタを電源ポケット内に制限し位置決めし、着用者の激烈な活動状況下でも、該ヒートシート、蓄電池とコントローラが任意に移動し得ず、着用者の活動に有利で、且つ美観に影響し得ず、上着の外径を流行に応じてデザイン可能とする。
【０００８】
このほか、蓄電池及びコントローラは袖に固定され、着用者の身体から離れているため、電磁波が身体の健康に影響を与えるのを防止できる。使用時には、袖の手首に近いところの透明ウインドウを通して操作インタフェースのランプ光、映像が表示する動作モードを見ることができ、操作上、相当に便利である。
【０００９】
上着を洗濯しなければならないときは、スピーディーに該コントローラの給電コネクタとヒートシートのコネクタを取り外し、並びにスピーディーに該コントローラの電源コネクタと蓄電池を取り外せば、非常に便利にヒートシート、コントローラ及び蓄電池を収容ポケット、スイッチポケット及び電源ポケットより取り出せ、すなわちスピーディーにヒートシート、コントローラ、蓄電池と上着を分離し、これらの部品の上着洗濯時の損壊を防止できる。
【００１０】
明確に且つ十分に本考案を開示できるように、併せて比較的好ましい実施例の図例を列挙し、詳細にその実施方式を後述するように説明する。
【図面の簡単な説明】
【００１１】
【図１】本考案の好ましい実施例の正面図である。
【図２】図１の開放した状態の正面図である。
【図３】図１の局部拡大正面図である。
【図４】図１のヒートシートとコントローラの立体図である。
【図５】図１のプラスチック係止部とコネクタの立体図である。
【図６】図１のプラスチック係止部、電源コネクタと給電コネクタの立体図である。
【図７】図１の収容ポケットの断面図である。
【考案を実施するための形態】
【００１２】
図１から図３を参照されたい。それは本考案の分離式発熱モジュールを具えた発熱上着構造を提示し、それは両側が互いに接続された前身頃１と後身頃２、及び二つの、それぞれ該前身頃１と後身頃２の両側に置かれた袖３を包含する。該前身頃１及び又は後身頃２の織物内部には収容ポケット４が縫いつけられ、且つ収容ポケット４にはヒートシート７を設置可能である。
【００１３】
該前身頃１及び後身頃２それぞれは着用者の身体に接触する内表面１１、２１及び着用者の身体の外側に向いた外表面１２、２２（すなわち上着の外表面１２、２２）を具える。該収容ポケット４が前身頃１に縫いつけられるとき、前身頃１の内表面１１或いは外表面１２に位置する袋口４１を具える。該収容ポケット４が後身頃２に縫いつけられるとき、後身頃２の内表面２１或いは外表面２２に位置する袋口４１を有する。該収容ポケット４の袋口４１は上着の上方に向けて開放され、且つ袋口４１には収容ポケット４を開閉するためのスライドファスナー或いはスナップボタンを設置可能である。
【００１４】
実際の応用上、該収容ポケット４は後身頃２の内部に縫いつけられ、且つ着用者の頸部、背部、腰部、脇の下及び又は側腹部に位置する。或いは、該収容ポケット４はまた前身頃１の内部に縫いつけられてもよく、且つ着用者の頸部、胸部、腹部、脇の下及び又は側腹部に位置し得る。本実施例では、該収容ポケット４は後身頃２内の着用者の背部の位置に縫いつけられ、且つ収容ポケット４の袋口４１は後身頃２の内表面２１に設けられる。
【００１５】
該袖３のうち一方（たとえば、左袖３）の外部の着用者の上腕に対応する位置には、電源ポケット５が縫いつけられ、該電源ポケット５には外来の蓄電池Ａを収容可能で（図４に示されるとおり）、且つ袖３の外部の、着用者の前腕の手首近くに対応する位置に、スイッチポケット６が設けられ、該スイッチポケット６はコントローラ８を収容するのに供される。
【００１６】
該電源ポケット５及びスイッチポケット６はそれぞれ該袖３の外表面に位置する袋口５１、６１を具え、該袋口５１には電源ポケット５を開閉するためのスライドファスナー或いはスナップボタンが設けられ、且つ袋口６１には該スイッチポケット６を開閉するためのスライドファスナー或いはスナップボタンが設置され得る。該電源ポケット５の内壁５０（図５、６に示されるように）には、該収容ポケット４に通じる第１連通口５０１と、該スイッチポケット６に通じる第２連通口５０２が設けられる。
【００１７】
図４に描かれるように、該ヒートシート７は第１電線７１を介してコネクタ７２に電気的に接続され、該コネクタ７２は、第１連通口５０１をとおり電源ポケット５に進入し、該コントローラ８は第２電線８１を介して給電コネクタ８２に電気的に接続され、且つコントローラ８は第３電線８３を介して電源コネクタ８４に電気的に接続される。
【００１８】
該給電コネクタ８２及び電源コネクタ８４は第２連通口５０２を通して電源ポケット５に進入し、該給電コネクタ８２はコネクタ７２と対応し接続される。該電源コネクタ８４は電源ポケット５内に置かれる外来蓄電池Ａと電気的に接続され、外来蓄電池Ａの電力は、電源コネクタ８４、コントローラ８、給電コネクタ８２、コネクタ７２を順に通ってヒートシート７に提供されて発熱させる。
【００１９】
図５、６を併せて参照されたい。該第１連通口５０１に該コネクタ７２を干渉可能な第１プラスチック係止部９１が設けられ、且つ第２連通口５０２に該電源コネクタ８４及び給電コネクタ８２を干渉可能な第２プラスチック係止部９２が設けられる。
【００２０】
該コントローラ８にはランプ光表示を具えた操作インタフェース８５が設けられ、該操作インタフェース８５は実際上は押しボタンとＬＥＤランプが組み合わされてなるほか、タッチパネルと液晶ディスプレイの組合せとされてもよく、操作インタフェース８５にランプ光数字と信号の表示、指示能力を発生させる。
【００２１】
該袖３のスイッチポケット６の外表面の、操作インタフェース８５に対応する位置に、透明ウインドウ６２が設けられ、該透明ウインドウ６２は透明樹脂フィルムで形成され、使用者が透明ウインドウ６２を通して該操作インタフェース８５のランプ光を観察できる。
【００２２】
上述の構造で構成して、本考案を実施するとき、使用前にはまずコントローラ８をスイッチポケット６に入れ、且つ電源コネクタ８４及び給電コネクタ８２を第２連通口５０２を通して電源ポケット５内部に入れる。並びにヒートシート７を収容ポケット４に入れ、且つコネクタ７２を第１連通口５０１を通して電源ポケット５内部に入れ、コネクタ７２と給電コネクタ８２を相互に対応させ接続する。
【００２３】
同時に、外来の蓄電池Ａを電源ポケット５に入れ、電源コネクタ８４を該蓄電池Ａに電気的に接続し、蓄電池Ａが給電し該コントローラ８を起動する。このとき、着用者はスイッチポケット６の透明ウインドウ６２を通して該コントローラ８の操作インタフェース８５を操作して、給電することでヒートシート７を発熱させ、保温の作用を達成できる。
【００２４】
使用期間に、該電源コネクタ８４、給電コネクタ８２及びコネクタ７２の第１電線７１、第２電線８１と第３電線８３は、それぞれ第１連通口５０１及び第２連通口５０２をとおり上着の前身頃１、後身頃２と袖３の織物内部に収納される。同時に、該第１プラスチック係止部９１と第２プラスチック係止部９２はそれぞれ電源コネクタ８４、給電コネクタ８２及びコネクタ７２を電源ポケット５内に制限し位置決めする。
【００２５】
このようにして、着用者が激しく活動する状況下で、該ヒートシート７、蓄電池Ａ及びコントローラ８は任意に移動することがなく、該第１電線７１、第２電線８１及び第３電線８３も着用者の身体に引っかけられる状況を発生せず、設計が完全であり、着用者の活動に有利で、且つ美観に影響を与えず、上着外形を流行に応じて設計でき、並びに全体の実用性及び便利性を増加する。
【００２６】
了解できることは、蓄電池Ａ及びコントローラ８は袖３に固定され、着用者の身体より離れているため、電磁波の身体の健康への影響を防止できる、ということである。並びに、使用期間に袖３の手首近くの透明ウインドウ６２を通して操作インタフェース８５のランプ光、映像が表示する操作モードを見ることができ、操作使用上相当に便利である。
【００２７】
上着を洗濯する必要があるときは、スピーディーにコントローラ８の給電コネクタ８２及びヒートシート７のコネクタ７２を取り外し、並びにスピーディーにコントローラ８の電源コネクタ８４と蓄電池Ａを取り外すことで、非常に便利にヒートシート７、コントローラ８、及び蓄電池Ａを収容ポケット４、スイッチポケット６及び電源ポケット５より取り出すことができ、こうしてスピーディーにヒートシート７、コントローラ８、蓄電池Ａと上着を分離でき、こうしてこれらの部品が上着を洗濯するときに損壊するのを防止できる。
【００２８】
これにより、本考案はヒートシート７、コントローラ８及び蓄電池Ａをスピーディーに上着より取り外して上着を洗濯するのに便利で、且つスピーディーに取り付けた後も、使用者が非常に便利に操作でき、使用上、相当に便利である。
【００２９】
図７を参照されたい。実行可能な実施例において、該収容ポケット４は着用者の方向に向いた内織物層４２、及び着用者と反対方向に向いた外織物層４３を具えている。本実施例では、該内織物層４２は後身頃２の内表面２１に形成され、且つ外織物層４３は後身頃２の外表面２２に形成される。
【００３０】
そのうち、該収容ポケット４の内織物層４２の熱透過効果は、該収容ポケット４の内織物層４２より外織物層４３への熱透過効果より高い。このほか、該外織物層４３の厚さは該内織物層４２の厚さより厚い。この設計により、ヒートシート７に使用方向に向けてあきらかな温敷作用を発生させられる。
【００３１】
実施時に、該電源コネクタ８４は、ＵＳＢコネクタとされ得る。こうして、該電源コネクタ８４は市販されている大多数のＵＳＢコネクタを採用するモバイル電源（ＰＯＷＥＲ  ＢＡＮＫ）に適用可能となり、実用性がより良好となる。
【００３２】
実施時には、該第１プラスチック係止部９１は該第１連通口５０１に連通する開口９１１（図５に示されるとおり）、及び複数の、該開口９１１の周囲に環状に設けられた軟性弾性片９１２を具える。該第２プラスチック係止部９２は該第２連通口５０２に連通する開口９２１（図６に示されるとおり）、及び複数の、該開口９２１の周囲に環状に設けられた軟性弾性片９２２を具える。前述の軟性弾性片９１２、９２２の数量は、本実施例では４片とされ得て、開口９１１、９２１は軟性弾性片９１２、９２２の遮蔽を受けて十字スリット形態を形成する。
【００３３】
こうして、該複数の軟性弾性片９１２、９２２は外力の押圧を受けて弾性湾曲し、該電源コネクタ８４、給電コネクタ８２及びコネクタ７２を釈放して開口９１１、９２１を通過させ、且つ該複数の軟性弾性片９１２、９２２は外力消失後に弾性回復し、該電源コネクタ８４、給電コネクタ８２及びコネクタ７２が開口９１１、９２１を通過するのを干渉、阻止する。
【００３４】
実施時に、該コントローラ８は予め一種或いは多種の該ヒートシート７の発熱温度をコントロールするためのデータを保存でき、着用者は操作インタフェース８５を通してこれらのデータをサーチ並びに選択してコントローラ８を上述のデータに基づいて操作でき、一段或いは多段操作のモードにより該ヒートシート７の発熱温度及び温度起伏の順序をコントロールできる。
【００３５】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３６】
１  前身頃
１１、２１  内表面
１２、２２  外表面
２  後身頃
３  袖
４  収容ポケット
４１、５１、６１  袋口
４２  内織物層
４３  外織物層
５  電源ポケット
５０  内壁
５０１  第１連通口
５０２  第２連通口
６  スイッチポケット
６２  透明ウインドウ
７  ヒートシート
７１  第１電線
７２  コネクタ
８  コントローラ
８１  第２電線
８２  給電コネクタ
８３  第３電線
８４  電源コネクタ
８５  操作インタフェース
９１  第１プラスチック係止部
９１１、９２１  開口
９１２、９２２  軟性弾性片
９２  第２プラスチック係止部
Ａ  蓄電池
【図１】
0003197256.tif 000003
【図２】
0003197256.tif 000004
【図３】
0003197256.tif 000005
【図４】
0003197256.tif 000006
【図５】
0003197256.tif 000007
【図６】
0003197256.tif 000008
【図７】
0003197256.tif 000009